(57)【要約】【課題】グランドの配線が不要で、簡素な構造を有して加工が容易なマイクロホンのハンガースイッチを提供する。【解決手段】非導電性のマイクロホンケース１１のリアケース１１１の外面に、平坦な外面を有する導電性のハンガープレート１５と、ハンガープレート１５と絶縁状態である導電性のハンガーノブ１６が設けられる。ハンガーノブ１６を介してリアケース１１１を懸吊する導電性のハンガーフック２のベース部２１は、ハンガーノブ１６を係止する切り欠き２１３ａが形成されたハンガー面を有する。ベース部２１の背面に配置されたバネ部２２は、ハンガーノブ１６が切り欠き２１３ａに係止されたときに、ハンガーノブ１６をハンガー面２１３に向けて押し返す方向に付勢する第１の弾性部材２２２と、ハンガー面２１３に形成された孔２１３ｂから突出し、ハンガープレート１５をハンガー面２１３から遠ざかる方向に付勢する第２の弾性部材２２３を有する。【選択図】図２
2010087731.tif 000002
【特許請求の範囲】
【請求項１】
非導電性のマイクロホンケースと、
前記マイクロホンケースの外面に設けられた導電性のハンガープレートと、
前記マイクロホンケースに前記ハンガープレートから絶縁されて設けられた導電性のハンガーノブと、
前記ハンガーノブを介して前記マイクロホンケースを懸吊する導電性のハンガーフックと、を備え、
前記ハンガーフックは、所定電圧に設定されており、
前記ハンガーノブを係止する切り欠きが形成されたハンガー部材と、
前記切り欠きに係止された前記ハンガーノブを前記ハンガー部材に向けて押し返す方向に付勢する第１の弾性部材と、前記ハンガーノブが前記切り欠きに係止されたときに前記ハンガープレートを前記ハンガー部材から遠ざかる方向に付勢する第２の弾性部材とを有し、
前記第２の弾性部材は、前記ハンガー部材に形成された孔から突出するように配置されており、前記孔を介して突出して前記ハンガープレートに接触すること、を特徴とするマイクロホン。
【請求項２】
前記第１及び第２の弾性部材は導電性の板バネであること、を特徴とする請求項１に記載のマイクロホン。
【請求項３】
前記ハンガーノブの頭部に凹部が形成されており、前記第１の弾性部材を構成する板バネに前記凹部に嵌合する突起が形成されていること、を特徴とする請求項２に記載のマイクロホン。
【請求項４】
前記マイクロホンケースの内部に設けられた回路基板と、
前記ハンガーノブと前記回路基板上の第１接点とを電気的に導通する第１導電部材と、
前記ハンガープレートと前記回路基板上の第２接点とを電気的に導通する第２導電部材と、
をさらに備えること、を特徴とする請求項１乃至３のいずれか１項に記載のマイクロホン。
【請求項５】
前記回路基板は、前記第１接点の電圧と前記第２接点の電圧に基づいて、このマイクロホンが前記ハンガーノブに懸吊されているか否かを判別する判別手段を備える、ことを特徴とする請求項４に記載のマイクロホン。
【請求項６】
前記第１の導電部材が、
前記回路基板の前記第１接点と前記マイクロホンケースの内面に設けられた端子とを接続する配線と、
前記マイクロホンケースに設けられた孔を介して前記ハンガーノブに締結されることにより前記端子と前記ハンガーノブとを連結する導電性のネジと、
によって構成されること、を特徴とする請求項４または５に記載のマイクロホン。
【請求項７】
前記第２の導電部材が、
前記マイクロホンケースに形成された孔を貫通する導電性のバネであり、
前記バネは、圧縮された状態で、一端が前記回路基板の前記第２接点と当接し、他端が前記ハンガープレートと当接すること、を特徴とする請求項４、５または６に記載のマイクロホン。
【請求項８】
所定電圧に設定されており、ハンガーノブを介してマイクロホンを懸吊すると共に前記ハンガーノブ及び前記マイクロホンに配置されたハンガープレートを所定電圧に設定するための導電性のハンガーフックであって、
前記ハンガーノブを係止する切り欠きが形成されたハンガー部材と、
前記切り欠きに係止された前記ハンガーノブを前記ハンガー部材に向けて押し返す方向に付勢する第１の弾性部材と、前記ハンガーノブが前記切り欠きに係止されたときに前記ハンガープレートを前記ハンガー部材から遠ざかる方向に付勢する第２の弾性部材とを有し、
前記第２の弾性部材は、前記ハンガー部材に形成された孔から突出するように配置されており、前記孔を介して突出して前記ハンガープレートに接触する、ことを特徴とするマイクロホン用ハンガーフック。
【発明の詳細な説明】
【技術分野】
【０００１】
本発明は、通信機に設けられたマイクロホン及びマイクロホン用ハンガーフックに関する。
【背景技術】
【０００２】
従来、マイクロホンがハンガーフックに懸吊されていることを検出するためのハンガースイッチとして、検出用の回路基板と導電性のハンガーノブが取り付けられたマイクロホンと、グランドに接続された金属製のハンガーフックとから構成されるものがある。このようなハンガースイッチでは、回路基板がハンガーノブを介してハンガーフックと導通することにより、マイクロホンがハンガーフックに懸吊されていることを検出する。
【０００３】
上記のマイクロホンのハンガースイッチは、ハンガーフックから延びてハンガーフックをグランドに接続させるための配線が邪魔であるとともに、ハンガーフック設置時には、この配線の手間がかかる。そこで、この配線をなくし、邪魔にならなくするとともに、ハンガーフック設置時のこの配線の手間を省いたものがある。
【０００４】
例えば、特許文献１には、回路基板の第１接点とハンガープレートとの電気的接続を、第１接点を押圧するスプリングピンで行い、回路基板の第２接点とハンガーノブとの電気的接続を、第２接点を押圧する板バネで行って、マイクロホンの組立作業時の半田付け工程をなくし、更に、メンテナンス作業時にリアケースをフロントケースから完全に分離できるようにしたマイクロホンのハンガースイッチが紹介されている。
【０００５】
さらに、特許文献１には、前記ハンガープレートを、略十字形のアームそれぞれに球面状に弾性押圧部を突出成形したハンガースプリングと、マイクロホンを衝撃から保護するためのハンガープレート本体とによって構成されたハンガープレート部とし、マイクロホンをハンガーフックに懸吊すると、ハンガープレートに設けられた４カ所の接触ポイントの内少なくとも２カ所が接触して、ハンガーノブをハンガーフックに懸吊する際の装着感及び耐久性を改善したマイクロホンのハンガースイッチが紹介されている。
【０００６】
また、特許文献２には、ハンガープレート表面にバネ板を突出させて設け、マイクロホンを自動車等にある金属製の係合部に懸ける際の固定を強くし、更に突然の振動に対して係合部から外れる危険性の少ないマイクロホンのハンガースイッチが紹介されている。
【０００７】
しかしながら、前述の従来技術には以下のような問題点がある。
【０００８】
特許文献１及び２に提案されているマイクロホンのハンガースイッチにおいては、ハンガープレート形状が複雑であり、特に特許文献１のハンガープレートは２部品構成であるため、ハンガープレートの製造に用いる金型が高価となる。また、ハンガープレートに弾性押圧部やバネ板といった突起物が設けられることで、マイクロホンを手で持ったときの異物感や、マイクロホンのデザイン上の制約といった問題が生じる。
【０００９】
【特許文献１】特開２００３−２２４８９７号公報
【特許文献２】特開２００１−１６０９９３号公報
【発明の開示】
【発明が解決しようとする課題】
【００１０】
本発明はかかる問題点に鑑みてなされたものであって、グランドの配線が不要なマイクロホン及びマイクロホン用ハンガーフックを提供することを目的とする。
【課題を解決するための手段】
【００１１】
上記目的を達成するため、本発明の第１の観点に係るマイクロホンは、非導電性のマイクロホンケースと、前記マイクロホンケースの外面に設けられた導電性のハンガープレートと、前記マイクロホンケースに前記ハンガープレートから絶縁されて設けられた導電性のハンガーノブと、前記ハンガーノブを介して前記マイクロホンケースを懸吊する導電性のハンガーフックと、を備え、前記ハンガーフックは、所定電圧に設定されており、前記ハンガーノブを係止する切り欠きが形成されたハンガー部材と、前記切り欠きに係止された前記ハンガーノブを前記ハンガー部材に向けて押し返す方向に付勢する第１の弾性部材と、前記ハンガーノブが前記切り欠きに係止されたときに前記ハンガープレートを前記ハンガー部材から遠ざかる方向に付勢する第２の弾性部材とを有し、前記第２の弾性部材は、前記ハンガー部材に形成された孔から突出するように配置されており、前記孔を介して突出して前記ハンガープレートに接触すること、を特徴とする。
【００１２】
さらに、本発明に係るマイクロホンは、前記第１及び第２の弾性部材を導電性の板バネとしてもよい。
【００１３】
さらに、本発明に係るマイクロホンは、前記ハンガーノブの頭部に凹部が形成されており、前記第１の弾性部材を構成する板バネに前記凹部に嵌合する突起が形成されていてもよい。
【００１４】
さらに、本発明に係るマイクロホンは、前記マイクロホンケースの内部に設けられた回路基板と、前記ハンガーノブと前記回路基板上の第１接点とを電気的に導通する第１導電部材と、前記ハンガープレートと前記回路基板上の第２接点とを電気的に導通する第２導電部材と、をさらに備えてもよい。
【００１５】
さらに、前記回路基板は、前記第１接点の電圧と前記第２接点の電圧に基づいて、このマイクロホンが前記ハンガーノブに懸吊されているか否かを判別する判別手段を備えてもよい。
【００１６】
さらに、前記第１の導電部材が、前記回路基板の前記第１接点と前記マイクロホンケースの内面に設けられた端子とを接続する配線と、前記マイクロホンケースに設けられた孔を介して前記ハンガーノブに締結されることにより前記端子と前記ハンガーノブとを連結する導電性のネジと、によって構成されてもよい。
【００１７】
さらに、前記第２の導電部材が、前記マイクロホンケースに形成された孔を貫通する導電性のバネであり、前記バネは、圧縮された状態で、一端が前記回路基板の前記第２接点と当接し、他端が前記ハンガープレートと当接してもよい。
【００１８】
本発明の第２の観点に係るマイクロホン用ハンガーフックは、所定電圧に設定されており、ハンガーノブを介してマイクロホンを懸吊すると共に前記ハンガーノブ及び前記マイクロホンに配置されたハンガープレートを所定電圧に設定するための導電性のハンガーフックであって、前記ハンガーノブを係止する切り欠きが形成されたハンガー部材と、前記切り欠きに係止された前記ハンガーノブを前記ハンガー部材に向けて押し返す方向に付勢する第１の弾性部材と、前記ハンガーノブが前記切り欠きに係止されたときに前記ハンガープレートを前記ハンガー部材から遠ざかる方向に付勢する第２の弾性部材とを有し、前記第２の弾性部材は、前記ハンガー部材に形成された孔から突出するように配置されており、前記孔を介して突出して前記ハンガープレートに接触する、ことを特徴とする。
【発明の効果】
【００１９】
本発明によれば、グランドの配線が不要なマイクロホン及びマイクロホン用ハンガーフックを提供できる。
【発明を実施するための最良の形態】
【００２０】
以下、本発明の実施形態に係るマイクロホン及びマイクロホン用ハンガーフックを図を参照して説明する。
【００２１】
図１は、本実施形態のマイクロホンを示す斜視図である。図１に示すように、マイクロホン１は、通信機本体にコード３を介して接続され、フロントケース１１２及びリアケース１１１で構成されるマイクロホンケース１１の側面に設けられたプレストークスイッチ１７を押すと通信可能となる。
【００２２】
図２（ａ）は、本実施形態のマイクロホンにおけるマイクロホンの構造を示す斜視図、図２（ｂ）は本実施形態のマイクロホン用ハンガーフックにおける分解されたハンガーフックの斜視図である。
【００２３】
図２（ａ）に示されるように、フロントケース１１２を外したマイクロホン１は、リアケース１１１と、ウェイト１２と、回路基板１３と、バネ１４と、ハンガープレート１５と、ハンガーノブ１６とから構成されている。
【００２４】
リアケース１１１は、非導電体からなり、後述するネジ１３４が挿通する孔１１１ａと、バネ１４が挿通する孔１１１ｂを有する。
【００２５】
ウェイト１２は、板状の金属から形成される。ウェイト１２は、マイクロホン１に重量感を持たせるために設けられており、リアケース１１１の前面に取り付けられる。ウェイト１２は、バネ１４が挿通する孔１２ａを有する。
【００２６】
回路基板１３は、ウェイト１２を間に挟んでリアケース１１１に取り付けられている。回路基板１３は、外部からの電源供給及びマイクロホンからの信号送信に使用されるコネクタ１３１が接続されている。また、ラグ端子１３２が、回路基板１３の第１接点１３５とハンガーライン１３３で電気的に接続されている。導電性のネジ１３４が、リアケース１１１に設けられた孔１１１ａを挿通してハンガーノブ１６に締結される。これにより、ラグ端子１３２とハンガーノブ１６とが電気的に導通して連結されている。また、回路基板１３の背面には、ハンガースイッチ用回路の一部を構成する第２接点１３６が、半田皮膜等で形成されている。
【００２７】
バネ１４は、導電性のコイルバネから形成される。バネ１４は、ウェイトの孔１２ａとリアケース１１１の孔１１１ｂを挿通している。バネ１４は、回路基板１３がリアケース１１１に取り付けられると、圧縮状態となる。そして、バネ１４の前端は、回路基板１３の背面にある第２接点１３６を押圧し、その後端はハンガープレート１５の前面を押圧する。このため、バネ１４を介して、第２接点１３６とハンガープレート１５は電気的に導通する。
【００２８】
ハンガープレート１５は、平坦な導電性材料から形成され、リアケース１１１の背面に取り付けられる。ハンガープレート１５は、ハンガーノブ１６の軸部１６ａの外径より大きな径を有する孔１５ａを有する。孔１５ａは、ハンガープレート１５がリアケース１１１に取り付けられた際に、リアケース１１１の孔１１１ａと重なる場所に位置する。
【００２９】
ハンガーノブ１６は、金属製であり、軸部１６ａと、ハンガープレート１５と対向するフランジ部１６ｂとから構成されている。軸部１６ａの外径は、リアケース１１１の孔１５ａの径よりも大きいため、ハンガーノブ１６は、ハンガープレート１５に接触しない状態で、孔１５ａを挿通している。そのため、ハンガーノブ１６は、ハンガープレート１５と電気的に絶縁された状態で、リアケース１１１の背面に、ネジ１３４により固定されている。フランジ部１６ｂは、後述するハンガーフック２の第１の弾性部材２２２の突起２２２ａと嵌合する凹み１６ｃを有する。
【００３０】
図２（ｂ）に示すように、ハンガーフック２は、ベース部２１と、バネ部２２とから構成されている。
【００３１】
ベース部２１は、ハンガーフック２を固定するための２つの固定面２１１と、この２つの固定面２１１の間に設けられ、これらの固定面２１１に対して縦断面で略コの字に突出した突出面２１２とから構成されている。この略コの字に突出した突出面２１２には、固定面２１１から突出したハンガー面２１３にかけて、Ｕ字様の切り欠き２１３ａが形成されている。また、ハンガー面２１３はＵ字の切り欠き２１３ａを間に挟んで、第２の弾性部材が挿通するための２つの四辺形の孔２１３ｂが形成されている。２つの固定面２１１は、ハンガーフック２の固定に用いる孔２１１ａを、それぞれに有する。また、２つの固定面２１１のうち、上側にある面には、背面に向かって突出する突起２１１ｂが形成されている。
【００３２】
バネ部２２は、ハンガーフック２を固定するための固定面２２１と、第１の弾性部材２２２と、第１の弾性部材２２２を間に挟む２つの第２の弾性部材２２３とが、一体となって形成されている。固定面２２１は、ハンガーフック２の固定に用いる孔２２１ａを有する。また、固定面２２１は、ベース部２１の突起２１１ｂが嵌合する２つの孔２２１ｂを有する。突起２１１ｂが孔２２１ｂに嵌合することで、ベース部２１とバネ部２２が正しく組み合わせられる。第１の弾性部材２２２は、固定面２２１からハンガー面２１３に向けて延設し、先端に突起２２２ａを有する。第２の弾性部材２２３は、固定面２２１からハンガー面２１３に向けて延設し、所定の位置で山折りされている。
【００３３】
図３（ａ）及び（ｂ）は、ベース部２１とバネ部２２を組み立てて形成されたハンガーフック２の斜視図及び正面図である。ハンガーフック２は、ベース部２１の突起２１１ｂをバネ部２２の孔２２１ｂに嵌合させることにより組み立てられ、図示しないネジを孔２１１ａと孔２２１ａに挿通させることで、壁等に固定される。第１の弾性部材２２２は、突出面２１２により形成された空間の内部に位置する。第２の弾性部材２２３は、その折り曲げ部分が、ハンガー面２１３の孔２１３ｂを挿通し、その先端は、突出面２１２により形成された空間の内部に位置する。
【００３４】
図４（ａ）は、マイクロホン１をハンガーフック２に懸吊したときの図３（ｂ）の切断線Ｉ−Ｉにおける主要部の断面図、図４（ｂ）は、マイクロホン１をハンガーフック２に懸吊したときの図３（ｂ）の切断線ＩＩ−ＩＩにおける主要部の断面図である。図４（ａ）に示すように、マイクロホン１の背面に設けられたハンガーノブ１６を切り欠き２１３ａに挿通させ、フランジ部１６ｂをこの切り欠き２１３ａの最下端に懸吊する。すると、第１の弾性部材２２２の反発力、及びフランジ部１６ｂに設けられた凹み１６ｃと第１の弾性部材２２２の先端の突起２２２ａとの嵌合によって、マイクロホン１が強く掛止される。さらに、図４（ｂ）に示すように、ハンガーフック２に設けられた第２の弾性部材２２３は、山折りされた位置において、反発力によりハンガープレート１５を押さえている。ここで、第２の弾性部材２２３の山折り部と、第１の弾性部材２２２に押さえられているハンガーノブ１６と一直線上に並んでハンガープレート１５を押さえている。これにより、マイクロホン１のハンガーフック２に対する掛止を強くするとともに、マイクロホン１を３点で一様の力で保持できる。したがって、マイクロホン１が振動を受けたり、回転した場合においてもハンガーフック２から外れる危険が少ない。
【００３５】
次に、本実施形態に係るマイクロホン用のハンガースイッチの動作について説明する。マイクロホン１をハンガーフック２に懸吊すると、第２の弾性部材２２３がハンガープレート１５と接触するため、ハンガーフック２を介してハンガーノブ１６とハンガープレート１５は導通状態となる。回路基板１３はネジ１３４及びラグ端子１３２及びハンガーライン１３３を介してハンガーノブ１６と導通している。さらに、回路基板１３はバネ１４を介してハンガープレート１５と導通している。
図５に示すように、回路基板１３内で、ハンガープレート１５とハンガーノブ１６とは、抵抗Ｒによりプルアップされており、回路基板１３には、第１接点１３５と第２接点１３６に接続された検出部１３ａを備える。
そして、マイクロホン１がハンガーフック２から外された状態では、第１接点１３５及び第２接点１３６は、抵抗Ｒによりプルアップされており、検出部１３ａは、第１接点１３５及び第２接点１３６に、電源電圧Ｖｃｃを検出することにより、マイクロホン１がハンガーフック２から外された状態にあることを検出できる。マイクロホン１がハンガーフック２にセットされた状態では、第１接点１３５及び第２接点１３６は、接地され、検出部１３ａは、第１接点１３５及び第２接点１３６に、接地電圧Ｖgndを検出することにより、マイクロホン１がハンガーフック２に懸吊されていることを検出することができる。検出部１３ａは、検出した状態を示す信号を、コネクタ１３１からコード３を介して図示しない通信機本体に送る。
【００３６】
本実施形態においては、マイクロホン１の構造により、回路基板１３がマイクロホン１のハンガーフック２への懸吊を検出できるため、グランドの配線をなくすことが可能である。また、前述のように、第２の弾性部材２２３は、山折りされた位置にてハンガープレート１５を反発力によって押し、更に、第１の弾性部材２２２によって支持されるハンガーノブ１６と一直線上に並んでハンガープレート１５に接触する。そのため、マイクロホン１のハンガーフック２に対する掛止が強くなるとともに、マイクロホン１を３点で一様の力で保持することができる。したがって、マイクロホン１が振動を受けたり、回転した場合においても、ハンガープレート１５とハンガーフック２との接触による導通及びハンガーノブ１６とハンガーフック２との嵌合による導通が安定して保たれる。
【００３７】
また、本実施形態においては、ハンガープレート１５は平坦であるため、ハンガープレートに突起物がある場合と比べて、マイクロホン１を手で持ったときの異物感がなく、また、デザイン上の制約が少ない。
【００３８】
また、本実施形態においては、第２の弾性部材２２３の支点は、ハンガー面２１３の背面に位置する。そのため、第２の弾性部材２２３をハンガー面２１３の前面に配置し、第２の弾性部材２２３の支点を前面に位置させる場合よりも、第２の弾性部材２２３の可動範囲を、大きくとることができる。これにより、第２の弾性部材２２３がハンガープレート１５を押圧する力を調整しやすくなる。
【００３９】
また、本実施形態においては、第２の弾性部材２２３は、ハンガープレート１５と接触する山折り部のみがハンガー面２１３の孔２１３ｂから突出している。そのため、第２の弾性部材２２３の端部が剥き出しとなっておらず、マイクロホンを懸吊する際やハンガーフックを設置する際に、手を傷つけにくい。
【００４０】
なお、本実施形態においては、ベース部２１の突起２１１ｂをバネ部２２の孔２２１ｂに嵌合させて、ベース部２１とバネ部２２を組み立てると説明したが、ベース部とバネ部に形成されたネジ孔同士をかしめて固定してもよい。
【図面の簡単な説明】
【００４１】
【図１】本実施形態のマイクロホンを示す斜視図である。
【図２】（ａ）は本実施形態のマイクロホンの構造を示す斜視図、（ｂ）は分解されたハンガーフックの斜視図である。
【図３】（ａ）は本実施形態のハンガーフックを示す斜視図、（ｂ）は正面図である。
【図４】（ａ）は本実施形態のマイクロホンをハンガーフックに懸吊したときの図３（ｂ）の切断線Ｉ−Ｉにおける主要部の略断面図、（ｂ）は、切断線ＩＩ−ＩＩにおける主要部の略断面図である。
【図５】本実施形態のマイクロホンにおける回路基板の回路図である。
【符号の説明】
【００４２】
１        マイクロホン
２        ハンガーフック
３        コード
１１      マイクロホンケース
１１１    リアケース
１１１ａ  孔
１１１ｂ  孔
１１２    フロントケース
１２      ウェイト
１２ａ    孔
１３      回路基板
１３ａ    検出部
１３１    コネクタ
１３２    ラグ端子
１３３    ハンガーライン
１３４    ネジ
１３５    第１接点
１３６    第２接点
１４      バネ
１５      ハンガープレート
１５ａ    孔
１６      ハンガーノブ
１６ａ    軸部
１６ｂ    フランジ部
１６ｃ    凹み
１７      プレストークスイッチ
２１      ベース部
２１１    固定面
２１１ａ  孔
２１１ｂ  突起
２１２    突出面
２１３    ハンガー面
２１３ａ  切り欠き
２１３ｂ  孔
２２      バネ部
２２１    固定面
２２１ａ  孔
２２１ｂ  孔
２２２    第１の弾性部材
２２２ａ  突起
２２３    第２の弾性部材
【図１】
2010087731.tif 000003
【図２】
2010087731.tif 000004
【図３】
2010087731.tif 000005
【図４】
2010087731.tif 000006
【図５】
2010087731.tif 000007